(57)【要約】【課題】携帯情報端末を傾斜させても、利用者に傾斜のない表示画像を閲覧させる。【解決手段】加速度検出部１０２は、自装置の加速度を検出する。傾斜算出部１０３は、加速度検出部１０２が検出した加速度を用いて、鉛直方向に対する自装置の傾きを算出する。移動量算出部１０６は、加速度検出部１０２が検出した加速度に基づいて自装置の移動量を算出する。回転部１０４は、基準点となる座標を中心として、傾斜算出部１０３が算出した傾きだけ表示情報を回転させる。表示制御部１０９は、移動量算出部１０６が算出した移動量を基準点となる座標に加算した座標を基準点として、回転部１０４が回転させた表示情報を表示させる。【選択図】図１
2012104911.tif 000002
【特許請求の範囲】
【請求項１】
ある座標を基準点として表示情報の一部を表示する表示部と、
自装置の加速度を検出する加速度検出部と、
前記加速度検出部が検出した加速度を用いて、鉛直方向に対する自装置の傾きを算出する傾斜算出部と、
前記加速度検出部が検出した加速度に基づいて自装置の移動量を算出する移動量算出部と、
前記基準点となる座標を中心として、前記傾斜算出部が算出した傾きだけ前記表示情報を回転させる回転部と、
前記移動量算出部が算出した移動量を前記基準点となる座標に加算した座標を基準点として、前記回転部が回転させた表示情報を表示させる表示制御部と
を備えることを特徴とする携帯情報端末。
【請求項２】
前記移動量算出部は、前記加速度検出部が、絶対値が所定の閾値以上となる正の加速度及び負の加速度を所定の時間の間に検出した場合に、前記加速度に基づいて自装置の移動量を算出する
ことを特徴とする請求項１に記載の携帯情報端末。
【請求項３】
前記表示情報はＰＣのディスプレイに表示される画面情報であって、
前記ＰＣのディスプレイの解像度を取得する解像度取得部と、
前記ＰＣのディスプレイの解像度と前記表示部の解像度とを用いて、前記表示部が前記ＰＣと同じ解像度で前記表示情報を表示するための倍率を算出する倍率算出部と
を備え、
前記表示制御部は、前記表示情報を前記倍率算出部が算出した倍率で拡大し、当該拡大した表示情報の一部を前記表示部に表示させる
ことを特徴とする請求項１または請求項２に記載の携帯情報端末。
【請求項４】
ある座標を基準点として表示情報の一部を表示する表示部を備える携帯情報端末を用いた表示制御方法であって、
加速度検出部は、自装置の加速度を検出し、
傾斜算出部は、前記加速度検出部が検出した加速度を用いて、鉛直方向に対する自装置の傾きを算出し、
移動量算出部は、前記加速度検出部が検出した加速度に基づいて自装置の移動量を算出し、
回転部は、前記基準点となる座標を中心として、前記傾斜算出部が算出した傾きだけ前記表示情報を回転させ、
表示制御部は、前記移動量算出部が算出した移動量を前記基準点となる座標に加算した座標を基準点として、前記回転部が回転させた表示情報を表示させる
ことを特徴とする表示制御方法。
【請求項５】
前記移動量算出部は、前記加速度検出部が、絶対値が所定の閾値以上となる正の加速度及び負の加速度を所定の時間の間に検出した場合に、前記加速度に基づいて自装置の移動量を算出する
ことを特徴とする請求項４に記載の表示制御方法。
【請求項６】
前記表示情報はＰＣのディスプレイに表示される画面情報であって、
解像度取得部は、前記ＰＣのディスプレイの解像度を取得し、
倍率算出部は、前記ＰＣのディスプレイの解像度と前記表示部の解像度とを用いて、前記表示部が前記ＰＣと同じ解像度で前記表示情報を表示するための倍率を算出し、
前記表示制御部は、前記表示情報を前記倍率算出部が算出した倍率で拡大し、当該拡大した表示情報の一部を前記表示部に表示させる
ことを特徴とする請求項４または請求項５に記載の表示制御方法。
【請求項７】
ある座標を基準点として表示情報の一部を表示する表示部と、自装置の加速度を検出する加速度検出部とを備える携帯電話端末を、
前記加速度検出部が検出した加速度を用いて、鉛直方向に対する自装置の傾きを算出する傾斜算出部、
前記加速度検出部が検出した加速度に基づいて自装置の移動量を算出する移動量算出部、
前記基準点となる座標を中心として、前記傾斜算出部が算出した傾きだけ前記表示情報を回転させる回転部、
前記移動量算出部が算出した移動量を前記基準点となる座標に加算した座標を基準点として、前記回転部が回転させた表示情報を表示させる表示制御部
として機能させるためのプログラム。
【請求項８】
前記移動量算出部は、前記加速度検出部が、絶対値が所定の閾値以上となる正の加速度及び負の加速度を所定の時間の間に検出した場合に、前記加速度に基づいて自装置の移動量を算出する
ことを特徴とする請求項７に記載のプログラム。
【請求項９】
前記表示情報はＰＣのディスプレイに表示される画面情報であって、
前記携帯情報端末を更に
前記ＰＣのディスプレイの解像度を取得する解像度取得部、
前記ＰＣのディスプレイの解像度と前記表示部の解像度とを用いて、前記表示部が前記ＰＣと同じ解像度で前記表示情報を表示するための倍率を算出する倍率算出部
として機能させ、
前記表示制御部は、前記表示情報を前記倍率算出部が算出した倍率で拡大し、当該拡大した表示情報の一部を前記表示部に表示させる
ことを特徴とする請求項７または請求項８に記載のプログラム。
【発明の詳細な説明】
【技術分野】
【０００１】
本発明は、携帯情報端末、表示制御方法、及びプログラムに関する。
【背景技術】
【０００２】
近年、携帯情報端末を用いてＰＣを遠隔操作する技術が研究されている。通常、携帯情報端末のディスプレイは、ＰＣのディスプレイと比較して小さいものが多い。そのため、携帯情報端末にＰＣの表示画面を全て表示させることは、物理的に不可能である場合が多い。
この問題を解決する方法として、特許文献１には、携帯情報端末の物理的移動量を検出することによって、端末装置のディスプレイのサイズより大きな表示情報を表示することができる技術が開示されている。
【先行技術文献】
【特許文献】
【０００３】
【特許文献１】特開２００７−２６７１９９号公報
【発明の概要】
【発明が解決しようとする課題】
【０００４】
ところで、特許文献１に開示された技術を用いて、ＰＣの表示情報を携帯情報端末のディスプレイに表示させるためには、携帯情報端末のディスプレイに直交する軸を中心とした回転角が一定となるように携帯情報端末を移動させる必要がある。これは、ＰＣの表示情報を、ＰＣと同じ表示方向で携帯情報端末のディスプレイに表示させるため、携帯情報端末を傾斜させると、表示情報も一緒に傾斜してしまうためである。
【０００５】
図６は、携帯情報端末を傾けたときの表示情報の例を示す図である。
具体的には、図６に示すように、携帯情報端末１００のディスプレイに直交する軸を中心に携帯情報端末１００を４５度傾斜させると、携帯情報端末１００に表示された情報は、使用者から見ると４５度傾いたものとなる。
【課題を解決するための手段】
【０００６】
本発明は上記の課題を解決するためになされたものであり、ある座標を基準点として表示情報の一部を表示する表示部と、自装置の加速度を検出する加速度検出部と、前記加速度検出部が検出した加速度を用いて、鉛直方向に対する自装置の傾きを算出する傾斜算出部と、前記加速度検出部が検出した加速度に基づいて自装置の移動量を算出する移動量算出部と、前記基準点となる座標を中心として、前記傾斜算出部が算出した傾きだけ前記表示情報を回転させる回転部と、前記移動量算出部が算出した移動量を前記基準点となる座標に加算した座標を基準点として、前記回転部が回転させた表示情報を表示させる表示制御部とを備えることを特徴とする携帯情報端末である。
【０００７】
また、本発明は、ある座標を基準点として表示情報の一部を表示する表示部を備える携帯情報端末を用いた表示制御方法であって、加速度検出部は、自装置の加速度を検出し、傾斜算出部は、前記加速度検出部が検出した加速度を用いて、鉛直方向に対する自装置の傾きを算出し、移動量算出部は、前記加速度検出部が検出した加速度に基づいて自装置の移動量を算出し、回転部は、前記基準点となる座標を中心として、前記傾斜算出部が算出した傾きだけ前記表示情報を回転させ、表示制御部は、前記移動量算出部が算出した移動量を前記基準点となる座標に加算した座標を基準点として、前記回転部が回転させた表示情報を表示させることを特徴とする。
【０００８】
また、本発明は、ある座標を基準点として表示情報の一部を表示する表示部と、自装置の加速度を検出する加速度検出部とを備える携帯情報端末を、前記加速度検出部が検出した加速度を用いて、鉛直方向に対する自装置の傾きを算出する傾斜算出部、前記加速度検出部が検出した加速度に基づいて自装置の移動量を算出する移動量算出部、前記基準点となる座標を中心として、前記傾斜算出部が算出した傾きだけ前記表示情報を回転させる回転部、前記移動量算出部が算出した移動量を前記基準点となる座標に加算した座標を基準点として、前記回転部が回転させた表示情報を表示させる表示制御部として機能させるためのプログラムである。
【発明の効果】
【０００９】
本発明によれば、傾斜算出部が鉛直方向に対する自装置の傾きを算出し、表示制御部は、当該傾きだけ傾斜させた表示画像の一部を、表示部に表示させる。これにより、携帯情報端末を傾斜させても、利用者は傾斜のない表示画像を閲覧することができる。
【図面の簡単な説明】
【００１０】
【図１】本発明の一実施形態による携帯情報端末の構成を示す概略ブロック図である。
【図２】ＰＣの遠隔操作を実行する動作を示すフローチャートである。
【図３】回転部による表示情報の傾斜方法を示す図である。
【図４】携帯情報端末の移動量を加算した場合に表示部に表示される情報を示す図である。
【図５】本実施形態による携帯情報端末を傾けたときの表示情報を示す図である。
【図６】携帯情報端末を傾けたときの表示情報の例を示す図である。
【発明を実施するための形態】
【００１１】
以下、図面を参照しながら本発明の実施形態について詳しく説明する。
図１は、本発明の一実施形態による携帯情報端末１の構成を示す概略ブロック図である。
携帯情報端末１は、受信部１０１、加速度検出部１０２、傾斜算出部１０３、回転部１０４、移動判定部１０５、移動量算出部１０６、解像度取得部１０７、倍率算出部１０８、表示制御部１０９、表示部１１０、操作部１１１、送信部１１２、更新禁止部１１３を備える。
【００１２】
受信部１０１は、ＰＣからＰＣがディスプレイに表示する表示情報を受信する。なお、本実施形態において表示情報は、ＰＣが表示画面をキャプチャすることによって得られる画像情報である。
加速度検出部１０２は、３軸の加速度センサによって構成され、携帯情報端末１にかかる加速度を検出する。
傾斜算出部１０３は、加速度検出部１０２が検出した加速度から重力加速度を抽出し、鉛直方向に対する携帯情報端末１の傾きを算出する。
回転部１０４は、受信部１０１が受信した表示情報を、傾斜算出部１０３が算出した傾きだけ回転させる。
【００１３】
移動判定部１０５は、加速度検出部１０２が、絶対値が所定の閾値以上となる正の加速度及び負の加速度を所定の時間の間に検出したか否かを判定することで、当該加速度が、携帯情報端末１を把持する使用者の手の動きによるものであるか、使用者の移動に伴うものであるかを判定する。
移動量算出部１０６は、移動判定部１０５によって加速度が、携帯情報端末１を把持する使用者の手の動きによるものであると判定された場合に、加速度検出部１０２が検出した加速度を用いて携帯情報端末１の移動量を算出する。
【００１４】
解像度取得部１０７は、ＰＣのディスプレイの解像度を取得する。
倍率算出部１０８は、携帯情報端末１の表示部１１０の解像度に基づいて、ＰＣのディスプレイの解像度と同じ解像度で表示情報を表示するための倍率を算出する。
表示制御部１０９は、回転部１０４が回転させた表示情報を倍率算出部１０８が算出した倍率で拡大し、移動量算出部１０６が算出した移動量だけ動かして、表示部１１０に表示させる。
表示部１１０は、ＬＣＤなどのディスプレイ装置によって構成され、表示情報の一部を表示する。
【００１５】
操作部１１１は、携帯情報端末１のテンキー（図示せず）などを用いてＰＣに対する操作の入力を受け付ける。
送信部１１２は、操作部１１１が入力を受け付けた操作を示す情報をＰＣに送信する。
更新禁止部１１３は、携帯情報端末１の決定キー（図示せず）の押下などにより、表示部１１０への描画の更新を許可するか否かの入力を受け付ける。
【００１６】
そして、携帯情報端末１は、上記構成を備えることで、以下の処理を実行する。すなわち、加速度検出部１０２は、自装置の加速度を検出する。傾斜算出部１０３は、加速度検出部１０２が検出した加速度を用いて、鉛直方向に対する自装置の傾きを算出する。移動量算出部１０６は、加速度検出部１０２が検出した加速度に基づいて自装置の移動量を算出する。回転部１０４は、基準点となる座標を中心として、傾斜算出部１０３が算出した傾きだけ表示情報を回転させる。表示制御部１０９は、移動量算出部１０６が算出した移動量を基準点となる座標に加算した座標を基準点として、回転部１０４が回転させた表示情報を表示させる。
これにより、携帯情報端末１を傾斜させても、利用者は傾斜のない表示画像を閲覧することができる。
【００１７】
次に、携帯情報端末１の動作を説明する。
携帯情報端末１は、ＰＣの遠隔操作を実行する前に、予め表示情報を表示部１１０に表示させるための倍率の設定を行っておく必要がある。具体的には、以下の手順で倍率の設定を行う。
使用者が携帯情報端末１のテンキーを用いて遠隔操作するＰＣのディスプレイの実寸及び縦横のピクセル数を入力すると、解像度取得部１０７は、ＰＣのディスプレイの実寸をピクセル数で除算することで、ＰＣのディスプレイにおける１ピクセルあたりの実寸、すなわちＰＣのディスプレイの解像度を算出する。次に、倍率算出部１０８は、予め定められている表示部１１０の解像度と算出したＰＣのディスプレイの解像度との比を算出し、当該値を表示情報の倍率に設定する。これにより、以降の処理において、表示制御部１０９は、倍率算出部１０８が算出した倍率で表示情報を拡大して表示部１１０に表示させることができる。
【００１８】
ここで、表示情報を所定の倍率で拡大して表示させる理由を説明する。
近年の携帯情報端末１は、表示部１１０の解像度が高くなっており、縦横のピクセル数がＰＣと同程度のものも少なくない。つまり、携帯情報端末１の表示部１１０の解像度は、ＰＣのディスプレイの解像度より高いことが多い。しかし、表示部１１０の解像度がＰＣのディスプレイの解像度より高いということは、同じ解像度の画像をそれぞれのディスプレイに表示させた場合に、携帯情報端末１のほうが画像の実寸が小さくなることを示す。そのため、ＰＣのディスプレイの表示情報を拡大せずに携帯情報端末１に表示させると、表示情報の実寸が小さくなり、視認しづらくなってしまうという問題がある。そこで、本実施形態のように、所定の倍率で表示情報を拡大して表示部１１０に表示させることで、携帯情報端末１における表示情報の実寸とＰＣのディスプレイ上の表示情報の実寸とを等しくし、視認性を向上することができる。
【００１９】
次に、携帯情報端末１を用いてＰＣの遠隔操作を実行する動作について説明する。
図２は、ＰＣの遠隔操作を実行する動作を示すフローチャートである。
まず、使用者の操作によりＰＣの遠隔操作処理を開始すると、携帯情報端末１は、ＰＣと通信を行い、ログイン処理を行う。ＰＣへのログインが完了すると、ＰＣは、ディスプレイに表示させる表示情報を、携帯情報端末１に送信する。携帯情報端末１の受信部１０１は、ＰＣから表示情報を受信し、内部メモリに記憶する（ステップＳ１）。
【００２０】
次に、傾斜算出部１０３、移動判定部１０５、及び移動量算出部１０６は、加速度検出部１０２が出力する各軸（Ｘ軸、Ｙ軸、Ｚ軸）の加速度を取得する（ステップＳ２）。なお、加速度検出部１０２は断続的に（例えば１ミリ秒毎に）携帯情報端末１にかかる加速度を検出する。また、加速度検出部１０２が加速度を検出する軸のうち、Ｘ軸は、表示部１１０の面における左右方向を示す軸であり、Ｙ軸は、表示部１１０の面における上下方向を示す軸であり、Ｚ軸は、表示部１１０の面に直交する軸である。また、傾斜算出部１０３、移動判定部１０５、及び移動量算出部１０６は、加速度検出部１０２が最後に検出した加速度に加え、当該時刻より前の所定の時間（例えば、１００ミリ秒）の間に加速度検出部１０２が検出した加速度も内部メモリに保持しておく。
【００２１】
次に、傾斜算出部１０３は、加速度検出部１０２から取得した加速度を用いて、重力加速度の方向を算出することで、鉛直方向に対する自装置の傾きを算出する（ステップＳ３）。重力加速度は、内部メモリに記憶する所定の時間の間の加速度の集合に対してローパスフィルタ処理を行うことで抽出することができる。
【００２２】
図３は、回転部１０４による表示情報の傾斜方法を示す図である。
次に、回転部１０４は、図３に示すように、表示情報のうち表示部１１０に表示させる部分の中央の座標である基準座標を中心に、傾斜算出部１０３が算出した傾きだけ、内部メモリに記憶された表示情報を回転する（ステップＳ４）。なお、回転部１０４は、基準座標を中心に表示情報を回転するため、図３に示すように、基準座標以外の座標は回転後の表示情報の座標に変換されることとなる。
次に、表示制御部１０９は、回転部１０４が回転させた表示情報を、基準座標を中心に、倍率算出部１０８が予め算出していた倍率で拡大し、拡大後の表示座標を内部メモリに記録する（ステップＳ５）。なお、表示制御部１０９は、基準座標を中心に表示情報を拡大するため、基準座標以外の座標は拡大後の表示情報の座標に変換されることとなる。
【００２３】
次に、更新禁止部１１３は、表示部１１０への描画の更新が許可されているか否かを判定する（ステップＳ６）。具体的には、携帯情報端末１の決定キーを押下し続けること、携帯情報端末１を所定の時間内に２回以上左右に振ることなどによって、表示部１１０への描画の禁止を更新禁止部１１３に入力する。なお、描画更新の禁止の解除は、押下されていた決定キーを開放すること、携帯情報端末１を再度２回以上左右に振ることによって行われる。
更新禁止部１１３が、表示部１１０への描画の更新が許可されていると判定した場合（ステップＳ６：ＹＥＳ）、移動判定部１０５は、内部メモリに記憶する所定の時間の間の加速度のそれぞれから重力加速度の影響を除去する（ステップＳ７）。具体的には、ステップＳ３で抽出した重力加速度を、各軸の加速度から減じることで、重力加速度の影響を除去することができる。
【００２４】
次に、移動判定部１０５は、重力加速度の影響を除去した所定の時間の間の加速度の中に、絶対値が所定の閾値以上となる正の加速度及び負の加速度が存在するか否かを判定する（ステップＳ８）。これは、検出された加速度が、携帯情報端末１を把持する使用者の手の動きによるものであるか、携帯情報端末１を所持する使用者の移動に伴うものであるかを判定する。使用者の移動に伴う加速度としては、例えば、使用者の歩行や使用者が乗車する車両の移動によって発生するものが挙げられる。
【００２５】
ここで、絶対値が所定の閾値以上となる正の加速度及び負の加速度が存在するか否かを判定することで、検出された加速度が、携帯情報端末１を把持する使用者の手の動きによるものであるか、携帯情報端末１を所持する使用者の移動に伴うものであるかを判定することができる理由を説明する。
携帯情報端末１を把持する使用者が手を動かした場合、及び携帯情報端末１を所持する使用者が移動した場合ともに、加速度は少なくとも移動開始時と移動終了時に検出され、移動終了時の加速度は移動開始時の加速度と逆方向にかかることとなる。
【００２６】
使用者が移動する場合、通常数秒から数十分の間継続して移動するため、移動開始時に検出する加速度と移動終了時に検出する加速度との間には数秒から数分の間隔が開くこととなる。他方、使用者がＰＣの遠隔操作を目的として把持した携帯情報端末１を動かす場合、数十ミリ秒から数百ミリ秒の間に移動が終了するため、移動開始時に検出する加速度と移動終了時に検出する加速度との間隔は数十ミリ秒から数百ミリ秒の間隔となる。そのため、絶対値が所定の閾値以上となる正の加速度及び負の加速度が存在する場合、検出された加速度がＰＣの遠隔操作を目的としたものである可能性が高いことが分かる。
【００２７】
ステップＳ８で移動判定部１０５が、絶対値が所定の閾値以上となる正の加速度及び負の加速度が存在すると判定した場合（ステップＳ８：ＹＥＳ）、移動量算出部１０６は、加速度検出部１０２が検出した加速度から携帯情報端末１のＸ軸方向及びＹ軸方向の移動量を算出する（ステップＳ９）。移動量の算出は、例えば、内部メモリに記憶する所定の時間の間の加速度から携帯情報端末１の速度を算出し、当該速度に加速度検出部１０２による加速度の検出間隔を乗算することで行う。
【００２８】
図４は、携帯情報端末１の移動量を加算した場合に表示部１１０に表示される情報を示す図である。
次に、表示制御部１０９は、ステップＳ５で拡大した表示情報の基準座標のＸ座標及びＹ座標にステップＳ９で算出した移動量を加算する（ステップＳ１０）。次に、表示制御部１０９は、図４に示すように、移動量を加算した基準座標を中心とした表示情報の一部を、表示部１１０に表示させる（ステップＳ１１）。これにより、使用者が携帯情報端末１を移動させた分だけ、表示情報のうち表示部１１０に表示される部分を動かすことができる。
【００２９】
他方、ステップＳ８で移動判定部１０５が、絶対値が所定の閾値以上となる正の加速度または負の加速度の少なくとも一方が存在しないと判定した場合（ステップＳ８：ＮＯ）、移動量を算出せずに、表示制御部１０９は、前回と同じ基準座標を中心とした表示情報の一部を、表示部１１０に表示させる（ステップＳ１１）。これにより、使用者の歩行や車両の移動などによって勝手に表示情報が動いてしまうことを防ぐことができる。
【００３０】
ステップＳ６で更新禁止部１１３が、表示部１１０への描画の更新が許可されていないと判定した場合（ステップＳ６：ＮＯ）、またはステップＳ１１で表示制御部１０９が、表示情報の一部を表示部１１０に表示させた場合、操作部１１１は、ＰＣに対する操作の入力を受け付ける（ステップＳ１２）。操作の入力とは、例えば表示部１１０に表示されたカーソルの移動、表示されたボタンの押下、文字列の入力などが挙げられる。操作部１１１が操作の入力を受け付けると、送信部１１２は、当該操作の情報をＰＣに送信する（ステップＳ１３）。
【００３１】
次に、携帯情報端末１は、ＰＣから遠隔操作の終了要求を入力したか否かを判定する（ステップＳ１４）。携帯情報端末１は、ＰＣから終了要求を入力していないと判定した場合（ステップＳ１４：ＮＯ）、ステップＳ１に戻り、表示情報を受信する。他方、携帯情報端末１は、ＰＣから終了要求を入力したと判定した場合（ステップＳ１４：ＹＥＳ）、処理を終了する。
【００３２】
図５は、本実施形態による携帯情報端末１を傾けたときの表示情報を示す図である。
このように、本実施形態によれば、傾斜算出部１０３が鉛直方向に対する自装置の傾きを算出し、表示制御部１０９は、当該傾きだけ傾斜させた表示画像の一部を、表示部１１０に表示させる。これにより、携帯情報端末１を傾斜させても、利用者は傾斜のない表示画像を閲覧することができる。
具体的には、図５に示すように、携帯情報端末１の表示部１１０に直交する軸を中心に携帯情報端末１を４５度傾斜させると、表示部１１０は表示情報を４５度回転して表示させる。これにより、携帯情報端末１に表示された情報は、使用者から見ると傾斜がないものとなる。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３４】
上述の携帯情報端末１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３６】
１…携帯情報端末  １０１…受信部  １０２…加速度検出部  １０３…傾斜算出部  １０４…回転部  １０５…移動判定部  １０６…移動量算出部  １０７…解像度取得部  １０８…倍率算出部  １０９…表示制御部  １１０…表示部  １１１…操作部  １１２…送信部  １１３…更新禁止部
【図１】
2012104911.tif 000003
【図２】
2012104911.tif 000004
【図３】
2012104911.tif 000005
【図４】
2012104911.tif 000006
【図５】
2012104911.tif 000007
【図６】
2012104911.tif 000008